(57)【要約】【課題】  人工毛髪繊維に対して滑らかでしなやかな（柔らかな）感触を付与することができる化粧料組成物を提供する。【解決手段】  （Ａ）粘度（２５℃）が２０〜５００Ｐａ・ｓのアミノ基を含有するポリオルガノシロキサンと、（Ｂ）カチオン系界面活性剤をそれぞれ含有し、人工毛髪繊維の処理に使用される化粧料組成物である。また、（Ａ1）粘度（２５℃）が２０〜５００Ｐａ・ｓで窒素原子含有量が０．０５〜０．２重量％の３−アミノプロピル基および／またはＮ−（２−アミノエチル）−３−アミノプロピル基を含有するポリオルガノシロキサンと、（Ａ2）粘度（２５℃）が０．５〜５００Ｐａ・ｓで窒素原子含有量が０．５〜１．５重量％のアミノ基含有ポリオルガノシロキサンと、（Ｂ）カチオン系界面活性剤をそれぞれ含有し、人工毛髪繊維の処理に使用される化粧料組成物を提供する。【選択図】なし【特許請求の範囲】
【請求項１】
（Ａ）２５℃における粘度が２０〜５００Ｐａ・ｓであるアミノ基を含有するポリオルガノシロキサンと、
（Ｂ）カチオン系の界面活性剤
をそれぞれ含有し、人工毛髪繊維の処理に使用されることを特徴とする人工毛髪繊維用化粧料組成物。
【請求項２】
前記（Ａ）成分であるポリオルガノシロキサンは、３−アミノプロピル基および／またはＮ−（２−アミノエチル）−３−アミノプロピル基を含有することを特徴とする請求項１記載の人工毛髪繊維用化粧料組成物。
【請求項３】
前記（Ａ）成分であるポリオルガノシロキサンの窒素原子含有量（割合）は、０．０５〜０．２重量％であることを特徴とする請求項1または２記載の人工毛髪繊維用化粧料組成物。
【請求項４】
前記（Ａ）成分は、エマルジョンの形態で配合されてなることを特徴とする請求項１乃至３のいずれか１項記載の人工毛髪繊維用化粧料組成物。
【請求項５】
前記エマルジョン中の前記（Ａ）成分の平均粒径は、０．５〜１０．０μｍであることを特徴とする請求項４記載の人工毛髪繊維用化粧料組成物。
【請求項６】
（Ａ1）２５℃における粘度が２０〜５００Ｐａ・ｓであり窒素原子含有量（割合）が０．０５〜０．２重量％である、３−アミノプロピル基および／またはＮ−（２−アミノエチル）−３−アミノプロピル基を含有するポリオルガノシロキサンと、（Ａ2）２５℃における粘度が０．５〜５００Ｐａ・ｓであり窒素原子含有量（割合）が０．５〜１．５重量％であるアミノ基を含有するポリオルガノシロキサンと、
（Ｂ）カチオン系の界面活性剤をそれぞれ含有し、
人工毛髪繊維の処理に使用されることを特徴とする人工毛髪繊維用化粧料組成物。
【請求項７】
前記（Ａ1）成分および前記（Ａ2）成分は、いずれもエマルジョンの形態で配合されてなることを特徴とする請求項６記載の人工毛髪繊維用化粧料組成物。
【請求項８】
前記（Ａ1）成分と前記（Ａ2）成分の配合比が、５０：５０〜９９：１（重量比）であることを特徴とする請求項６または７記載の人工毛髪繊維用化粧料組成物。
【請求項９】
ポリエチレングリコールおよび／またはポリオキシエチレン−ポリオキシプロピレングリコールをさらに含有することを特徴とする請求項１乃至８のいずれか１項記載の人工毛髪繊維用化粧料組成物。
【発明の詳細な説明】
【技術分野】
【０００１】
本発明は、人工毛髪繊維用化粧料組成物に係り、さらに詳しくは、人工毛髪繊維に対して滑らかでしなやかな（柔らかな）感触を付与することができる、コンディショニング効果に優れた化粧料組成物に関する。
【背景技術】
【０００２】
一般に、人工毛髪繊維を頭飾製品に加工する場合には、要求品質として、繊維の分繊性や櫛通り性および帯電防止性といった加工特性に加え、自然な触感、外観、保湿性などといった美容特性を満足するものが望まれている。これらの要求品質を満足させるために、様々な人工毛髪繊維用の処理剤（化粧料）が使用されている。
【０００３】
しかしながら、従来の人工毛髪繊維用処理剤は、いずれも単独の特性の改良には効果があるものの、人工毛髪繊維が使用される頭飾製品に要求される数多くの特性をバランス良く満足させるものではなかった。例えば、頭飾製品の櫛通り性を向上させる処理剤を用いると、保湿性が失われたり、反対に保湿性を向上させる処理剤を用いると、触感がべたついて櫛通りが重くなったりすることがあった。
【０００４】
また、取り扱いの面から、処理剤としては水溶性あるいは水分散型のものが多く用いられているが、頭飾製品は人間の頭髪装飾に用いられるものは勿論のこと、人形などその他の用途に用いられた場合でも、使用時には汚れなどが生じるため、シャンプーなどによる洗浄が不可欠である。従来の処理剤では、必要量を人工毛髪繊維に付着させても、シャンプーなどで洗浄を行うことで処理剤が容易に脱落し、要求品質を満足できなくなるという問題があった。
【０００５】
このような点に対処するために、エチレンオキシドとプロピレンオキシドを主成分とする化合物と、アミノ変性シリコーンを主成分とする油剤を含有する人工毛髪繊維用の処理剤が提案されている（例えば、特許文献１参照）。
【０００６】
しかしながら、この処理剤によっても、前記した要求品質をバランスよく満足させることが難しかった。
【特許文献１】特開２０００−１１９９７２公報
【発明の開示】
【発明が解決しようとする課題】
【０００７】
本発明はこれらの問題を解決するためになされたもので、人工毛髪繊維に対するコンディショニング効果に優れ、具体的には滑らかでしなやかな（柔らかな）感触を付与することができる人工毛髪繊維用化粧料組成物を提供することを目的とする。
【課題を解決するための手段】
【０００８】
上記課題を達成すべく鋭意検討した結果、所定の粘度を有するアミノ基含有ポリオルガノシロキサンにカチオン系の界面活性剤を添加することにより、上記課題を解決できることを見出した。
【０００９】
本発明の第１の態様の人工毛髪繊維用化粧料組成物は、（Ａ）２５℃における粘度が２０〜５００Ｐａ・ｓであるアミノ基を含有するポリオルガノシロキサンと、（Ｂ）カチオン系の界面活性剤をそれぞれ含有し、人工毛髪繊維の処理に使用されることを特徴としている。
【００１０】
本発明の第２の態様の人工毛髪繊維用化粧料組成物は、（Ａ1）２５℃における粘度が２０〜５００Ｐａ・ｓであり窒素原子含有量（割合）が０．０５〜０．２重量％である、３−アミノプロピル基および／またはＮ−（２−アミノエチル）−３−アミノプロピル基を含有するポリオルガノシロキサンと、（Ａ2）２５℃における粘度が０．５〜５００Ｐａ・ｓであり窒素原子含有量（割合）が０．５〜１．５重量％であるアミノ基を含有するポリオルガノシロキサンと、（Ｂ）カチオン系の界面活性剤をそれぞれ含有し、人工毛髪繊維の処理に使用されることを特徴としている。
【発明の効果】
【００１１】
本発明の化粧料組成物によれば、人工毛髪繊維に対して滑らかでしなやかな（柔らかな）感触を付与することができ、優れたコンディショニング効果を発揮する。
【発明を実施するための最良の形態】
【００１２】
以下、本発明の実施の形態について説明する。
【００１３】
本発明の実施形態である化粧料組成物は、人工毛髪繊維の処理に使用される人工毛髪繊維用化粧料組成物である。ここで、人工毛髪繊維とは、ウィッグ、ツーペ、ヘアアクセサリー、人形用頭髪のような頭飾製品に使用される繊維であり、例えば、人毛やヤクの毛などの動物系の天然繊維、コラーゲンなどタンパク質を可溶化してなる再生繊維、あるいはポリ塩化ビニル、ポリプロピレン、ポリエステル、ポリアミド、ポリクラール、ポリアクリロニトリルおよびモダクリルなどからなる合成繊維などが挙げられる。本発明の化粧料組成物は、特に、ポリ塩化ビニルからなる人工毛髪繊維の処理に好適する。
【００１４】
本発明の実施形態に用いられる（Ａ）成分のポリオルガノシロキサンは、式：Ｒ１ａＱｂＳｉＯ（４−ａ−ｂ）／２で表される構成単位を含み、２５℃における粘度が２０〜５００Ｐａ・ｓのものである。式中、Ｒ１は炭素数１〜６の1価の炭化水素基または置換炭化水素基、Ｑは３−アミノプロピル基またはＮ−（２−アミノエチル）−３−アミノプロピル基をそれぞれ示す。また、ａ、ｂはそれぞれ０＜ａ≦２、１≦ｂ≦３およびａ＋ｂ≦３を満たす数である。1分子中にＲ１およびＱが２個以上ある場合、それらは同一であっても異なっていてもよい。このポリオルガノシロキサンにおける窒素原子の含有量（割合）は、ポリオルガノシロキサン全体の０．０５〜０．２重量％であることが好ましい。
【００１５】
（Ａ）成分の２５℃における粘度が２０Ｐａ・ｓ未満であると、人工毛髪繊維に対して滑らかさを与える効果が乏しい。また、粘度が５００Ｐａ・ｓを超えた場合には、（Ａ）成分が人工毛髪繊維の表面に広がり難くなるため、滑らかさを付与する効果が低下する。（Ａ）成分の粘度（２５℃）のより好ましい範囲は、３０〜２００Ｐａ・ｓである。
【００１６】
また、（Ａ）成分の窒素原子含有量が０．０５〜０．２重量％の範囲を外れた場合、人工毛髪繊維に対して滑らかさを付与する効果が十分でなくなるおそれがある。（Ａ）成分の窒素原子含有量のより好ましい範囲は、０．０７〜０．１５重量％である。
【００１７】
本発明の実施形態においては、人工毛髪繊維により細かな触感を与えるために、（Ａ）成分の他に、ポリオルガノシロキサンを併用することができる。併用可能なポリオルガノシロキサンとしては、ポリジメチルシロキサン（ジメチコン）、環状ポリジメチルシロキサン（シクロメチコン）、前記（Ａ）成分以外のアミノ基含有ポリオルガノシロキサンなどが挙げられる。ポリジメチルシロキサンとしては、低粘度のものから高粘度のものまで（通常、０．００５〜２００００Ｐａ・ｓ）幅広く使用することができる。
【００１８】
実施形態においては、濡れた人工毛髪繊維の指通り性を改善することができ、かつ乾いた状態の人工毛髪繊維にしなやかさ（柔らかさ）を付与する効果が大きいという理由で、（Ａ1）成分である粘度（２５℃）２０〜５００Ｐａ・ｓ、窒素原子含有量０．０５〜０．２重量％の３−アミノプロピル基および／またはＮ−（２−アミノエチル）−３−アミノプロピル基含有のポリオルガノシロキサンとともに、（Ａ2）粘度（２５℃）０．５〜５００Ｐａ・ｓで窒素原子含有量０．５〜１．５重量％のアミノ基含有ポリオルガノシロキサンを併用することができる。（Ａ1）成分としては、前記した（Ａ）成分と同じものを使用することができる。
【００１９】
（Ａ2）成分としては、例えば、以下の式：
【化１】
2010138504.tif 000002
で表されるアミノ基含有ポリオルガノシロキサンが挙げられる。ここで、Ｒ２，Ｒ３，Ｒ４，Ｒ６，Ｒ７およびＲ８は、炭素数１〜６のアルキル基であり、Ｒ５は、式：−Ｒ９−ＮＨ−ＣＨ２−ＣＨ２−ＮＨ２で表される基である。但し、Ｒ９は炭素数３〜６のアルキレン基である。また、ｍは１００〜２７００の整数であり、ｎは１〜２００の整数である。
【００２０】
このような（Ａ2）成分のアミノ基含有ポリオルガノシロキサンの粘度（２５℃）が０．５未満であると、濡れた人工毛髪繊維に対して十分な滑らかさを付与することができず、また５００Ｐａ・ｓを超えると、乾いた人工毛髪繊維の柔らかさを損なうおそれがある。（Ａ2）成分の粘度（２５℃）のより好ましい範囲は０．５〜３００Ｐａ・ｓである。
【００２１】
また、（Ａ2）成分のアミノ基含有ポリオルガノシロキサンの窒素原子含有量が０．５重量％未満であると、濡れた人工毛髪繊維に対して十分な滑らかさを付与することができず、また１．５重量％を超えると、乾いた人工毛髪繊維の柔らかさを損なうおそれがある。（Ａ2）成分の窒素原子含有量のより好ましい範囲は０．６〜１．３重量％である。
【００２２】
（Ａ2）成分であるアミノ基含有ポリオルガノシロキサンを併用する場合、（Ａ1）成分である３−アミノプロピル基および／またはＮ−（２−アミノエチル）−３−アミノプロピル基を含有するポリオルガノシロキサンと、この（Ａ2）成分との配合割合は、重量比で５０：５０〜９９：１の範囲とすることが好ましい。（Ａ2）成分との配合割合が前記範囲より多いと、人工毛髪繊維の乾いた状態での滑らかさと柔らかさを損ない、好ましくない。より好ましい配合割合は、７０：３０〜９９：１の範囲である。
【００２３】
本発明の実施形態においては、前記（Ａ）成分単独、あるいは（Ａ1）成分と（Ａ2）成分との混合物に対して、（Ｂ）成分としてカチオン系の界面活性剤が添加されて、エマルジョン状態が形成される。実施形態において使用される（Ｂ）カチオン系の界面活性剤としては、ラウリルトリメチルアンモニウムヒドロキシド、ステアリルトリメチルアンモニウムヒドロキシド、ジオクチルジメチルアンモニウムヒドロキシド、ジステアリルジメチルアンモニウムヒドロキシド、ラウリルトリメチルアンモニウムクロライド（塩化ラウリルトリメチルアンモニウム）、ステアリルトリメチルアンモニウムクロライド、セチルトリメチルアンモニウムクロライド、ジココイルジメチルアンモニウムクロライド、ジステアリルジメチルアンモニウムクロライド、塩化ベンザルコニウム、ステアリルジメチルベンジルアンモニウムクロライドなどが挙げられる。
【００２４】
（Ｂ）成分であるカチオン系界面活性剤の配合量は、エマルジョン中のシリコーン成分全体（（Ａ）成分単独または（Ａ1）成分と（Ａ2）成分との混合物およびその他のポリオルガノシロキサン）に対して、０．５〜１０．０重量％の範囲が好ましく、より好ましい範囲は１．０〜５．０重量％である。また、シリコーン成分全体の濃度としては、２０〜９０重量％の範囲が好ましく、より好ましい範囲は４０〜８０重量％である。カチオン系界面活性剤の配合量がシリコーン成分の全量に対して０．５重量％未満では、（Ａ）成分あるいは（Ａ1）成分と（Ａ2）成分との混合物を良好に分散させることが難しく、また１０.０重量％を超えるとエマルジョンの安定性が低下して好ましくない。
【００２５】
本発明の実施形態においては、前記（Ａ）成分単独または（Ａ1）成分と（Ａ2）成分との混合物に、（Ｂ）成分であるカチオン系界面活性剤を配合することにより、０．５〜１０．０μｍの平均粒子径を有するエマルジョンが得られる。なお、エマルジョン中のシリコーン成分（（Ａ）成分単独または（Ａ1）成分と（Ａ2）成分との混合物）の平均粒子径が大きいと、人工毛髪繊維にシリコーン成分が残りやすくなる。また、平均粒子径が大きすぎると組成物中での安定性が低下するおそれがある。また、平均粒子径が小さすぎると、エマルジョンの安定性が高くなりすぎて、人工毛髪繊維にシリコーン成分が付着・残留しにくくなる結果、所望の効果が得られないという問題がある。１〜３μｍの範囲の平均粒子径がより好ましい。
【００２６】
本発明の実施形態においては、エマルジョンの安定性を改善するために、以下に示すｐＨ調整剤をエマルジョンに添加することができる。ｐＨ調整剤としては、酢酸、乳酸などの有機酸；塩酸、硫酸、りん酸などの無機酸、２−アミノ−２−ヒドロキシエチル−１，３−プロパンジオール、２−アミノ−２−メチル−１，３−プロパンジオール、２−アミノ−２−メチル−１−プロパノール、トリエタノールアミンが挙げられる。これらのｐＨ調整剤はエマルジョン全体の５重量％以下の範囲で添加することが好ましい。これらのｐＨ調整剤のうちで、特に乳酸などの酸を添加した場合は、酸が（Ａ）成分あるいは（Ａ1）成分と（Ａ2）成分との混合物のアミノ基部分を中和するので、エマルジョンの安定性を改善する効果が大きい。
【００２７】
本発明の化粧料組成物には、さらに乳化補助剤として、ポリエチレングリコールおよび／またはポリオキシエチレン−ポリオキシプロピレングリコールを配合することができる。
これらの乳化補助剤の配合により、エマルジョンの粒子径を１〜３μｍの細径にコントロールすることができる。乳化補助剤としては、ポリビニルピロリドン、ポリビニルアセテート、メチルセルロース、ポリビニルアルコールなどの使用も可能である。
【００２８】
実施形態においては、前記（Ａ）成分あるいは（Ａ1）成分と（Ａ2）成分との混合物は、（Ｂ）カチオン系界面活性剤により乳化され、エマルジョン状態を呈する化粧料組成物が得られる。エマルジョンの製造には、公知の方法を用いることができ、例えば、コロイドミル、ラインミル、ホモミキサー、ホモジナイザーなどの乳化機や、アンカーミキサーと、ホモミキサーまたはディスパーミキサーが一体となった乳化機などを用いて行うことができる。
【００２９】
このような方法を用いることにより、組成物中に分散されるシリコーン成分（（Ａ）成分あるいは（Ａ1）成分と（Ａ2）成分との混合物）の粒子径の制御が容易となり、付与する触感が調整し易くなる。分散させるシリコーン成分の粒子径は、目的とする化粧料組成物の種類によって適宜調整することが好ましい。
【実施例】
【００３０】
次に、本発明の実施例および比較例について説明する。なお、これらの例において、「部」および「％」は、それぞれ「重量部」および「重量％」を表す。また、粘度は２５℃における測定値である。
【００３１】
実施例１
Ｎ−（２−アミノエチル）−３−アミノプロピル基含有ポリジメチルシロキサン（窒素原子含有量０．１％、粘度８０Ｐａ・s）１００部に、カチオン系界面活性剤である塩化ステアリルトリメチルアンモニウム（ステアリルトリメチルアンモニウムクロライド）の２８％水溶液２０部を加え４０℃で３０分間撹拌した。加温を止めた後、イオン交換水６０部を徐々に加えながら撹拌した後、さらに乳酸０．００５部を加えて撹拌した。こうして、乳白色のエマルジョンを得た。
【００３２】
実施例２
Ｎ−（２−アミノエチル）−３−アミノプロピル基含有ポリジメチルシロキサン（窒素含有量０．１％、粘度８０Ｐａ・s）１００部に、カチオン系の界面活性剤であるステアリルトリメチルアンモニウムクロライドの２８％水溶液２０部を加え、４０℃で３０分間撹拌した。次いで、ポリエチレングリコール（ｎ＝１４）１２部を徐々に加えながら撹拌した後加温を止め、イオン交換水６０部と乳酸０．００５部を加えてさらに撹拌した。こうして、乳白色のエマルジョンを得た。
【００３３】
実施例３〜５
実施例２のポリエチレングリコール（ｎ＝１４）の代わりに、ポリエチレングリコール（ｎ＝３５）、ポリオキシエチレンポリオキシプロピレングリコール(５Ｅ．Ｏ.)（３０Ｐ．Ｏ．）、ポリオキシエチレンポリオキシプロピレングリコール（４８Ｅ．Ｏ．）（３５Ｐ．Ｏ．）をそれぞれ表１に示す組成で添加した。それ以外は実施例２と同様にして、乳白色のエマルジョンを得た。
【００３４】
実施例６
実施例２の乳酸０．００５部の代わりに、２−アミノ−２−メチル−１−プロパノール４部を添加した。それ以外は実施例２と同様の手順で、Ｎ−（２−アミノエチル）−３−アミノプロピル基含有ポリジメチルシロキサン（窒素原子含有量０．１％、粘度８０Ｐａ・s）、ステアリルトリメチルアンモニウムクロライド、およびイオン交換水を加えて撹拌し、乳白色のエマルジョンを得た。
【００３５】
実施例７
Ｎ−（２−アミノエチル）−３−アミノプロピル基含有ポリジメチルシロキサン（窒素原子含有量０．１％、粘度８０Ｐａ・ｓ）９０部に、Ｎ−（２−アミノエチル）−３−アミノプロピル基含有ポリジメチルシロキサン（窒素含有量１％、粘度１Ｐａ・ｓ）１０部を混合した後、実施例１と同様の手順でステアリルトリメチルアンモニウムクロライド、乳酸、イオン交換水をそれぞれ加えて撹拌し、乳白色のエマルジョンを得た。
【００３６】
比較例１
粘度８０Ｐａ・sのポリジメチルシロキサン１００部に、ノニオン系の界面活性剤であるポリオキシエチレン（６）ラウリルエーテル１０部とポリオキシエチレン（２３）ラウリルエーテル１０部を加え、４０℃で３０分間撹拌した。加温を止めた後、乳酸０．００５部を加えて撹拌し、さらにイオン交換水６０部を徐々に加えながら撹拌してエマルジョンを得た。
【００３７】
比較例２
粘度８０Ｐａ・sのポリジメチルシロキサン１００部に、カチオン系の界面活性剤であるステアリルトリメチルアンモニウムクロライドの２８％水溶液２０部を加え、４０℃で３０分間撹拌した。次いで、ポリエチレングリコール（ｎ＝１４）１２部を徐々に加えながら撹拌した後、加温を止め、イオン交換水６０部と乳酸０．００５部をさらに加えて撹拌した。こうして、乳白色のエマルジョンを得た。
【００３８】
比較例３
粘度８０Ｐａ・ｓの末端水酸基含有ポリジメチルシロキサン１００部に、ノニオン系の界面活性剤であるポリオキシエチレン（６）ラウリルエーテル１０部とポリオキシエチレン（２３）ラウリルエーテル１０部を加え、４０℃で３０分間撹拌した。次いで、加温を止めた後、乳酸０．００５部を加え、さらにイオン交換水６０部を徐々に加えながら撹拌してエマルジョンを得た。
【００３９】
比較例４
粘度８０Ｐａ・ｓの末端水酸基含有ポリジメチルシロキサン１００部に、カチオン系の界面活性剤であるステアリルトリメチルアンモニウムクロライドの２８％水溶液２０部を加え、４０℃で３０分間撹拌した。次いで、ポリエチレングリコール（ｎ＝１４）１２部を徐々に加えながら撹拌した後、加温を止め、イオン交換水６０部と乳酸０．００５部をさらに加えて撹拌した。こうして、乳白色のエマルジョンを得た。
【００４０】
比較例５
３−アミノプロピル基含有ポリジメチルシロキサン１００部に、ノニオン系の界面活性剤であるポリオキシエチレン（６）ラウリルエーテル１０部とポリオキシエチレン（２３）ラウリルエーテル１０部を加え、４０℃で３０分間撹拌した。次いで、加温を止めた後乳酸０．００５部を加え、さらにイオン交換水６０部を徐々に加えながら撹拌してエマルジョンを得た。
【００４１】
比較例６
３−アミノプロピル基含有ポリジメチルシロキサン１００部に、ノニオン系の界面活性剤であるポリオキシエチレン（６）ラウリルエーテル１０部とポリオキシエチレン（２３）ラウリルエーテル１０部を加え、４０℃で３０分間撹拌した。加温を止めた後、乳酸０．００５部を加え、さらにイオン交換水６０部を徐々に加えた後、カチオン系の界面活性剤であるステアリルトリメチルアンモニウムクロライドの２８％水溶液２０部を加え、４０℃で３０分間撹拌してエマルジョンを得た。
【００４２】
次いで、実施例１〜７および比較例１〜６で得られたエマルジョンのｐＨおよび平均粒子径を以下に示すようにして測定した。また、特性評価を、以下に示す方法および基準にしたがって行った。
【００４３】
［ｐＨの測定方法］
東亜電波工業株式会社製のガラス電極式水素イオン濃度計により、ｐＨを測定した。
【００４４】
［平均粒子径の測定方法］
ベックマンコールター株式会社製の粒度分布測定装置ＬＳ−２３０により、平均粒子径を測定した。
【００４５】
［特性評価方法］
１２人のパネリストがそれぞれ長さ３０ｃｍの人口毛髪用繊維（ポリ塩化ビニル繊維）２０ｇを、実施例１〜６および比較例１〜６で得られた各エマルジョンをうすめたもの（シリコーン含有割合が１％になるように希釈）に３０秒間浸した後、２００ｇの市水で３０秒間すすぎ、５０℃のオーブンで乾燥させた。その後、人口毛髪用繊維の「乾燥後の滑り」および「乾燥後の柔らかさ」を、各パネリストに下記の基準で５段階の点数付けを行ってもらい、その平均値を算出した。
【００４６】
［評価基準］
５：非常に良好
４：良好
３：普通
２：やや不良
１：不良
【００４７】
これらの測定および評価結果を表1に示す。
【表１】
2010138504.tif 000003
【００４８】
以上の実施例から明らかなように、本発明の化粧料組成物は、人口毛髪用繊維に対して滑らかでしっとりした感触を付与することができ、コンディショニング効果に優れている。